(57)【要約】【課題】ショーケースに装備した商品陳列棚を、水平棚あるいは傾斜棚として自由に選択して商品を陳列できるようにした棚構造を提供する。【解決手段】上下段に並べてケース本体の庫内に配備した商品陳列棚６を、庫内の背面に係止支持した左右一対の棚ブラケット７と、棚ブラケットの間にまたがって水平姿勢に架設した棚板９と、該棚板の上に載置して商品を並べる陳列台板１１とで構成し、かつ前記陳列台板は、後端をＬ字状に起立屈曲した透明樹脂製のＬ型板とし、棚板９に載置する向きを表，裏に反転することで水平棚面，傾斜棚面を選択できるようにする。【選択図】図１
2007244552.tif 000002
【特許請求の範囲】
【請求項１】
上下段に並べてケース本体の庫内に配備したショーケースの商品陳列棚であって、庫内の背面に係止支持した左右一対の棚ブラケットと、棚ブラケットの間にまたがって水平姿勢に架設した棚板と、該棚板の上に載置して商品を並べる陳列台板とからなり、かつ前記陳列台板はその後端をＬ字状に起立屈曲したＬ型板で、前記棚板に載置する向きを表，裏に反転して水平棚面，傾斜棚面を選択するようにしたことを特徴とするショーケースの商品陳列棚。
【請求項２】
請求項１に記載の商品陳列棚において、陳列台板が透明樹脂製の板であることを特徴とするショーケースの商品陳列棚。
【請求項３】
請求項１または２に記載の商品陳列棚において、棚板が前後方向に伸縮するスライドレールを介して棚ブラケットに架設したスライド式棚板であることを特徴とするショーケースの商品陳列棚。
【発明の詳細な説明】
【技術分野】
【０００１】
本発明は、多段式オープンショーケースなどを対象とするショーケースの商品陳列棚に関する。
【背景技術】
【０００２】
まず、頭記した多段式オープンショーケースの構成を図２に示す。図において、１は断熱筐体になる前面開放形のケース本体、２は内箱、３はケース本体１の外箱と内箱との間に画成した冷気循環ダクト、４は冷却器（冷凍機のエバポレータ）、５は庫内ファン、６は上下段に並べてケース本体１の庫内に配備した商品陳列棚である。
【０００３】
ここで、前記商品陳列棚の形態として、固定棚のほかに棚板を庫内から前方へ引き出して商品の補充作業が楽に行えるようにしたスライド式の商品陳列棚が周知であり（例えば、特許文献１，特許文献２参照）、その棚構造は、図３で示すように左右一対の棚ブラケット７と、棚ブラケット７に組み付けて前後方向に伸縮するスライドレール８と、左右のスライドレール８に架け渡したスライド棚板９（鋼板製，あるいはフレームにガラス板を嵌め込んだ棚板）とからなり、図２のように棚ブラケット７をケース本体１の庫内背面に立設した棚支柱１０に係止支持し、この位置からスライド棚板９を前方へ引出し可能に支持している。
【０００４】
また、このスライド式商品陳列棚について、前記の特許文献１，特許文献２に開示されているように、棚ブラケットの後部側に楔形の補助ブラケットを設ける、あるいはスライドレールに対して棚板を前傾姿勢に取り付け、スライド式商品陳列棚を傾斜棚として缶，ビン商品の先入れ，先出しに対応できるようにした構造も知られている。
【特許文献１】特開２００４−１７４８４９号公報
【特許文献２】特開２００２−２７２５６８号公報
【発明の開示】
【発明が解決しようとする課題】
【０００５】
ところで、前記した商品陳列棚の従来構造では、ユーザーサイドでの取扱い面で次記のような課題がある。すなわち、ショーケースのロケーション先でユーザーが販売商品の並べ方を変えるために商品陳列棚を傾斜姿勢から水平姿勢に変更したい場合に、先記の従来構造では工具（ドライバ）を使って棚ブラケットに取り付けた楔状の補助ブラケットを取り外す（特許文献１参照）、あるいはスライドレールに締結したボルトの位置を変えて棚板の角度を変更する（特許文献２参照）などの面倒な付替え作業が必要で、店舗の店員では簡単には対応できない。
【０００６】
また、ユーザーによっては、ショーケースで販売する商品の展示効果を高めるように、棚板をガラス棚にする要望もあるが、スライド式の傾斜棚にガラスの棚板を採用すると、棚板をケース前方に引き出した際の衝撃でガラス板が棚から外れたり，破損したりするおそれがあることから、通常は安全性を考慮してガラスの棚板は採用してない。
【０００７】
本発明は上記の点に鑑みなされたものであり、その目的は工具などを一切使わずに水平棚，傾斜棚として自由に選択使用でき、しかも高い展示効果が得られるように改良したショーケースの商品陳列棚を提供することにある。
【課題を解決するための手段】
【０００８】
上記目的を達成するために、本発明によれば、商品陳列棚を庫内の背面に係止支持した左右一対の棚ブラケットと、棚ブラケットの間にまたがって水平姿勢に架設した棚板と、該棚板の上に載置して商品を並べる陳列台板とで構成し、かつ前記陳列台板はその後端をＬ字状に起立屈曲したＬ型板とし、前記棚板に載置する向きを表，裏に反転して水平棚面，傾斜棚面を選択できるようにするものとし（請求項１）、具体的には次記のような態様で構成することができる。
（１）前記の陳列台板を透明樹脂製の板で構成する（請求項２）。
（２）前記棚板を前後方向に伸縮するスライドレールを介して棚ブラケットに架設してスライド式棚板とする（請求項３）。
【発明の効果】
【０００９】
上記構成によれば、棚ブラケットを介して水平姿勢に支持されている棚板の上に載置したＬ型の陳列台板の向きを表，裏に反転して置き換えるだけで、商品陳列棚を水平棚，もしくは傾斜棚として商品を陳列することができる。また、この陳列台板はネジ止めなどすることなく棚板の上に載置してあるので、ショーケースのロケーション先で商品の並べ方を変更する場合には、工具などは一切使わずに店舗の店員でも簡単に対応できる。
【００１０】
しかも、この陳列台板を水平棚として使用している状態では列台板の後端から上向きに起立する後壁が陳列商品の後方への転落を防ぐフェンスとしての役目を果たす。なお、傾斜棚としての使用状態では、陳列台板の上に並べた商品（缶，ビン）が前傾姿勢に並ぶので背後に転落することはない。
【００１１】
また、この陳列台板をアクリル樹脂などの透明な樹脂板で構成したことにより、ガラス製の棚板と同様に商品を見栄えよく展示できるほか、ガラスのようにスライド棚として前方に引き出した際の衝撃で破損する危険もなくて安全に取り扱える。
【発明を実施するための最良の形態】
【００１２】
以下、本発明の実施の形態を図１（ａ）〜（ｃ）に示す実施例に基づいて説明する。なお、実施例の図中で図３に対応する部材には同じ符号を付してその説明は省略する。
【００１３】
すなわち、図示実施例の商品陳列棚は、図３に示した従来のスライド棚構造をベースとして、棚ブラケット７にスライドレールを介して水平姿勢に保持されたスライド棚板９の上に、新たにＬ型の陳列台板１１を追加搭載した構成になる。ここで、陳列台板１１はアクリル樹脂などの透明樹脂成形品であって棚板９とほぼ同じ外形サイズを有し、その後端からＬ字状に屈曲して起立する後壁１１ａが形成されている。
【００１４】
そして、この商品陳列棚６を傾斜棚として使用する場合には、図１（ａ）のように前記後壁１１ａを下に向けた姿勢で陳列台板１１をスライド棚板９の上に載置し、この上に商品（缶，ビンなど）を前後列に並べて陳列する。なお、棚板９の後端には背の低いフェンス９ａを形成し、これを位置決めストッパとして陳列台板１１を定位置にセットする。
【００１５】
一方、商品陳列棚６を水平棚として使用する場合には、図１（ｂ）で示すように陳列台板１１の向きを反転し、前記（傾斜棚として使用）とは逆に後壁１１ａが上向きとなるような姿勢でスライド棚板９の上に重ね合わせこの上に商品を並べて展示する。この使用状態では、後壁１１ａが商品の転落を防止するフェンスの役目を果たす。
【００１６】
なお、透明材の陳列台板１１を載置するスライド棚板９は、鋼板製の棚板，あるいは外囲フレームに透明材質の板を嵌め込んだ構造の棚板でもよく、透明材質の棚板を用いることにより庫内の照明光を下段側の棚へ導光してアピール性の高い照明効果を演出できる。また、図示実施例では陳列台板１１をスライド棚板９に組み合わせた商品陳列棚について述べたが、この陳列台板を固定式の棚板と組み合わせて実施することもできる。
【図面の簡単な説明】
【００１７】
【図１】本発明の実施例による商品陳列棚の構成図で、（ａ），（ｂ）はそれぞれ傾斜棚，水平棚としての使用状態を表す側面図、（ｃ）は陳列台板の外形斜視図
【図２】多段式オープンショーケースの全体構造を表す側視断面図
【図３】図２のオープンショーケースに装備したスライド式商品陳列棚の従来構造図
【符号の説明】
【００１８】
１    ケース本体
６    商品陳列棚
７    棚ブラケット
９    棚板
１１    陳列台板
【図１】
2007244552.tif 000003
【図２】
2007244552.tif 000004
【図３】
2007244552.tif 000005